(57)【特許請求の範囲】
【請求項１】
支持構造体に天井下地を直固定するための天井下地固定金具であって、
前記支持構造体に係止される第一部材と、前記天井下地を係止する第二部材とを備え、
前記第二部材は、前記第一部材に対して取付高さが調整可能に取り付けられており、
前記第一部材は、前記支持構造体に掛け止められる支持構造体固定部と、前記第二部材を固定するための第二部材固定部とを備えており、
前記支持構造体固定部は、前記支持構造体に接合するための接合部を備え、
前記第二部材固定部は、前記天井下地を接合するための接合部を備えており、
前記第二部材は、前記天井下地を係止するためのスリットを備え、
前記第二部材が第一部材に取り付けられた状態で、前記第二部材固定部が前記天井下地の前記スリットからの抜け防止部となっている
ことを特徴とする天井下地固定金具。
【請求項２】
前記第二部材は、前記第一部材にボルトにて固定されており、
前記第一部材のボルト挿通孔および前記第二部材のボルト挿通孔の少なくともいずれか一方は、上下方向に沿って延在する長孔にて構成されている
ことを特徴とする請求項１に記載の天井下地固定金具。
【請求項３】
前記第二部材固定部は、前記支持構造固定部の側面と連続して直交している
ことを特徴とする請求項１または請求項２に記載の天井下地固定金具。
【請求項４】
前記天井下地は、前記スリットに係止されるリップ溝形鋼を備えており、
前記スリットは、前記リップ溝形鋼のリップ部が通過可能な高さを備え、
前記スリットの先端部には、前記リップ部が入り込む切込部が形成されている
ことを特徴とする請求項１乃至請求項３のいずれか一項に記載の天井下地固定金具。
【請求項５】
支持構造体に天井下地を直固定するための天井下地固定金具であって、
前記支持構造体に係止される第一部材と、前記天井下地を係止する第二部材とを備え、
前記第二部材は、前記第一部材に対して取付高さが調整可能に取り付けられており、
前記第一部材は、前記支持構造体に掛け止められる支持構造体固定部と、前記第二部材を固定するための第二部材固定部とを備えており、
前記支持構造体固定部は、前記支持構造体に接合するための接合部を備え、
前記第二部材固定部は、前記天井下地を接合するための接合部を備えており、
前記第二部材は、前記第一部材に対して傾斜した状態で固定可能である
ことを特徴とする天井下地固定金具。
【発明の詳細な説明】
【技術分野】
【０００１】
本発明は、支持構造体に天井下地を直固定するための天井下地固定金具に関する。
【背景技術】
【０００２】
吊りボルトを用いずに、支持構造体に天井下地を直固定して工期短縮と工費削減を図った構造が知られている。従来、支持構造体に天井下地を固定するに際しては、支持構造体に天井下地をビスで直接固定したり、支持構造体に棒状の吊材を固定し吊材の下端部に天井下地材を釘やビスで固定する（特許文献１参照）ようになっている。
【先行技術文献】
【特許文献】
【０００３】
【特許文献１】特開２０００−９６７６４号公報
【発明の概要】
【発明が解決しようとする課題】
【０００４】
ところで、施工精度が悪い場合、支持構造体に不陸が発生する場合がある。この不陸を吸収するためには、支持構造体に墨打ちを行って基準線を表示し、この基準線に合わせて野縁受けなどの天井下地をビスなどで接合するようになっていた。そのため、不陸の大きい部分では、支持構造体と天井下地との重なり部分が小さく接合が困難である問題があった。
さらに、ビス止めなどの接合を行うに際して、天井下地を押さえた状態で作業を行わなければならないので、作業が煩雑で、作業に多くの手間を要する問題もあった。
【０００５】
このような観点から、本発明は、天井下地の支持位置の高さ調整と接合を容易に行うことができる天井下地固定金具を提供することを課題とする。
【課題を解決するための手段】
【０００６】
前記課題を解決するための請求項１に係る発明は、支持構造体に天井下地を直固定するための天井下地固定金具であって、前記支持構造体に係止される第一部材と、前記天井下地を係止する第二部材とを備え、前記第二部材は、前記第一部材に対して取付高さが調整可能に取り付けられており、前記第一部材は、前記支持構造体に掛け止められる支持構造体固定部と、前記第二部材を固定するための第二部材固定部とを備えており、前記支持構造体固定部は、前記支持構造体に接合するための接合部を備え、前記第二部材固定部は、前記天井下地を接合するための接合部を備えている。前記第二部材は、前記天井下地を係止するためのスリットを備え、前記第二部材が第一部材に取り付けられた状態で、前記第二部材固定部が前記天井下地の前記スリットからの抜け防止部となっていることを特徴とする。
【０００７】
本発明における「接合する」とは、ビス、ボルトや釘で固定する場合や溶接により固定する場合を含む。このような構成によれば、第二部材を第一部材に仮固定した状態で、第二部材の第一部材に対する取付高さを調整することができる。したがって、天井下地の支持位置の高さ調整を容易に行うことができる。また、天井下地を仮固定した状態で、容易に接合を行うこともできる。さらに、第一部材を支持構造体に接合するとともに、天井下地を第一部材に接合することで、天井下地を支持構造体に直固定することができる。また、天井下地をスリットに挿入するだけで、容易に係止することができる。さらに、第二部材が第一部材に取り付けられた状態で、第二部材固定部が天井下地のスリットからの抜け防止部となるので、高さ調整や接合作業中の天井下地の抜けを防止できる。
【０００８】
また、本発明の天井下地固定金具において、前記第二部材は、前記第一部材にボルトにて固定されており、前記第一部材のボルト挿通孔および前記第二部材のボルト挿通孔の少なくともいずれか一方は、上下方向に沿って延在する長孔にて構成されていることが好ましい。このような構成によれば、第一部材に対する第二部材の取付高さ調整を容易に行うことができるので、天井下地の支持位置の高さ調整を容易に行うことができる。
【００１１】
さらに、本発明の天井下地固定金具において、前記第二部材固定部は、前記支持構造固定部の側面と連続して直交していることが好ましい。このような構成によれば、支持構造固定部と第二部材固定部とが互いに補強し合い、第一部材の剛性が高くなる。
また、本発明の天井下地固定金具において、前記天井下地は、前記スリットに係止されるリップ溝形鋼を備えており、前記スリットは、前記リップ溝形鋼のリップ部が通過可能な高さを備え、前記スリットの先端部には、前記リップ部が入り込む切込部が形成されていることが好ましい。
【００１２】
また、本発明の天井下地固定金具において、前記第二部材は、前記第一部材に対して傾斜した状態で固定可能であることが好ましい。このような構成によれば、支持構造体と天井下地とが相対的に傾斜した状態で、天井下地を支持構造体に固定することができる。
【発明の効果】
【００１３】
本発明に係る天井下地固定金具によれば、天井下地の支持位置の高さ調整と接合を容易に行うことができるといった優れた効果を発揮する。
【図面の簡単な説明】
【００１４】
【図１】本発明の実施形態に係る天井下地固定金具を用いた天井構造を示した一部断面側面図である。
【図２】本発明の実施形態に係る天井下地固定金具を用いて天井下地を支持構造体に固定した状態を示した一部断面側面図である。
【図３】図２のａ線矢視図である。
【図４】本発明の実施形態に係る天井下地固定金具を用いて天井下地を支持構造体に固定した状態を示した斜視図である。
【図５】本発明の実施形態に係る天井下地固定金具を用いて天井下地を支持構造体に固定する前の状態を示した斜視図である。
【図６】本発明の実施形態に係る天井下地固定金具を示した分解斜視図である。
【図７】本発明の実施形態に係る天井下地固定金具を示した分解斜視図である。
【図８】本発明の実施形態に係る天井下地固定金具を用いた他の形状の天井構造を示した一部断面側面図である。
【図９】本発明の実施形態に係る天井下地固定金具を用いて天井下地を支持構造体に固定した状態を示した図であって、（ａ）は一部断面側面図、（ｂ）は（ａ）のｂ線矢視図である。
【図１０】本発明の他の実施形態に係る天井下地固定金具を用いて支持構造体に対して傾斜した天井下地を固定した状態を示した一部断面側面図である。
【発明を実施するための形態】
【００１５】
本発明の実施形態に係る天井下地固定金具について、図面を参照しつつ詳細に説明する。なお、本実施形態では、かかる天井下地固定金具を傾斜した天井に適用した場合を例に挙げて説明する。
【００１６】
図１に示すように、本実施形態に係る天井下地固定金具１は、支持構造体１０に、天井下地２０を直固定する。本実施形態では、天井下地固定金具１を支持構造体１０に接合（たとえばビス止め）するとともに天井下地２０を天井下地固定金具１に接合（たとえばビス止め）することで、天井下地２０を支持構造体１０に直固定している。なお、接合方法はビス止めに限定されるものではなく、釘止めや溶接等の他の接合方法であってもよい。
【００１７】
支持構造体１０は、梁などの建物構造体２から吊り下げられている。支持構造体１０は、梁から下方に延在する複数の吊材１１と、吊材１１の下端部に取り付けられた第一の横架材１２と、第一の横架材１２の下端部に取り付けられた第二の横架材１３とを備えている。第一の横架材１２は、複数の吊材１１，１１・・の下部にブラケット１４を介して架け渡されている。第二の横架材１３は、平面視で第一の横架材１２に直交しており、複数の第一の横架材１２の下部に架け渡されている。第二の横架材１３は、ブラケット１２ａ（図３参照）を介して第一の横架材１２に固定されている。第二の横架材１３は、たとえばリップ付溝型鋼（Ｃ形チャンネル）にて構成されている。
【００１８】
図２および図３にも示すように、天井下地２０は、たとえば複数の野縁２１と、野縁２１に対して平面視で直交して配置された複数の野縁受け２２とを備えている。野縁２１と野縁受け２２は、格子状に配列されている。野縁２１は、天井板３を保持する部材であって、天井板３の上側に配置されている。野縁２１は、たとえば断面Ｃ字状のリップ溝形形状を呈しており、ウェブが下側になるように配置されている。野縁２１の下面には、天井板３が当接していて、ビス（図示せず）などの固定治具によって天井板３が固定されている。
【００１９】
野縁受け２２は、野縁２１を保持する部材であって、野縁２１の上側に配置されている。野縁受け２２は、たとえば断面溝形のチャンネル材にて構成されており、一対のフランジ２２ａ，２２ｂが上下に位置してウェブ２２ｃが立った状態で配置されている。野縁受け２２は、下側のフランジ２２ｂが野縁２１の上面のリップ部２１ａに当接した状態で、野縁２１と連結されている。野縁２１と野縁受け２２とは、公知の連結金具２３を介して連結されている。
【００２０】
図２および図３に示すように、天井下地固定金具１は、支持構造体１０の第二の横架材１３に係止される第一部材３０と、天井下地２０の野縁受け２２を係止する第二部材５０とを備えている。第二部材５０は、第一部材３０に対して取付高さが調整可能に取り付けられている。
【００２１】
図４乃至図７にも示すように、第一部材３０は、支持構造体固定部３１と第二部材固定部３２とを備えている。第一部材３０は、スチール製の板材を折曲げ加工して形成されている。支持構造体固定部３１は、天井下地固定金具１を第二の横架材１３に掛け止めるとともにビス止めするための部位である。支持構造体固定部３１は、断面が下向きのＵ字形状を呈していて、上板部３１ａと先端折曲部３１ｂと基端折曲部３１ｃとを備えている。
【００２２】
上板部３１ａは、第二の横架材１３の上側フランジ１３ａ上に載置される。上板部３１ａは、第二の横架材１３の上側フランジ１３ａに沿って配置され、上側フランジ１３ａを覆う。
【００２３】
先端折曲部３１ｂは、上板部３１ａの先端側から下方に向かって直角に折曲している。先端折曲部３１ｂは、第二の横架材１３のリップ１３ｂ側に配置されて、リップ１３ｂの表面に当接している。先端折曲部３１ｂの下端部は、第二の横架材１３の下端よりも下方に延在している。先端折曲部３１ｂの下端部には、ボルト貫通孔３３が形成されている。ボルト貫通孔３３は、第二の横架材１３の下端よりも下方に形成されている。
【００２４】
基端折曲部３１ｃは、上板部３１ａの基端側（第二部材５０が位置する側）から下方に向かって直角に折曲している。基端折曲部３１ｃは、第二の横架材１３の背面１３ｃ側に配置されて、背面１３ｃの表面に当接している。基端折曲部３１ｃの下端部は、第二の横架材１３の下方に配置される野縁受け２２の下端よりも下方に延在している。基端折曲部３１ｃには、天井下地固定金具１を第二の横架材１３に固定するビスＶ１用のビス孔３４が形成されている。ビス孔３４は、第二の横架材１３の背面１３ｃに当接する位置で、上下二段に二つずつの合計４箇所に形成されている。このビス孔３４の周囲が第二の横架材１３に接合する（支持構造体１０に接合する）ための接合部となる。
【００２５】
基端折曲部３１ｃには、ボルト貫通孔３５が形成されている。ボルト貫通孔３５は、ネジ孔にて構成されていて、先端折曲部３１ｂのボルト貫通孔３３と同軸位置に形成されている。ボルト貫通孔３３，３５には、第二の横架材１３の下方を通過する開き防止用ボルト３６が挿通される。開き防止用ボルト３６は、先端折曲部３１ｂと基端折曲部３１ｃとの距離を一定に保つことで、各折曲部３１ｂ，３１ｃ同士が開くのを防止している。また、開き防止用ボルト３６は、上板部３１ａと先端折曲部３１ｂと基端折曲部３１ｃとで第二の横架材１３を囲っているので、天井下地固定金具１が第二の横架材１３から外れるのを防止している。
【００２６】
第二部材固定部３２は、第二部材５０を固定するとともに野縁受け２２を接合するための部位である。本実施形態では、野縁受け２２は第二部材固定部３２にビス止めされる。第二部材固定部３２は、基端折曲部３１ｃ（支持構造固定部３１の側面）の横幅方向（第二の横架材１３の長手方向）一端から直角に立ち上げられている。つまり、第二部材固定部３２は、基端折曲部３１ｃと連続して直交している。第二部材固定部３２は、第二の横架材３２の背面１３ｃと直交する方向に広がっている。第二部材固定部３２には、野縁受け２２を固定するビスＶ２用のビス孔３７が形成されている。このビス孔３７の周囲が野縁受け２２を接合するための接合部となる。ビス孔３７は、菱形の頂点位置の４箇所に形成されている。ビス孔３７は、少なくとも３つが、上下に位置調節される野縁受け２２のウェブ２２ｃに当接するように配置されている。具体的には、第二部材５０の第一部材３０への取付高さが中間位置である場合には、４つのビス孔３７が野縁受け２２のウェブ２２ｃに当接する。第二部材５０の第一部材３０への取付高さが高位置である場合には、上側の３つのビス孔３７が野縁受け２２のウェブ２２ｃに当接する。第二部材５０の第一部材３０への取付高さが低位置である場合には、下側の３つのビス孔３７が野縁受け２２のウェブ２２ｃに当接する。なお、ビス孔３７の個数と配置形態は、前記構成に限定されるものではなく、天井材３の重量などの条件に応じて適宜設定すればよい。第二部材固定部３２には、ボルト貫通孔３８が形成されている。ボルト貫通孔３８は、ネジ孔にて構成されていて、第二部材５０を固定するためのボルトＢが螺合する。
【００２７】
第二部材５０は、野縁受け２２を係止した状態で第二部材固定部３２に固定される。第二部材５０は、スチール製の板材を折曲げ加工して形成されている。第二部材５０は、平面視で断面コ字状を呈していて、背面部５１と一対の側面部５２，５２とを備えている。
【００２８】
背面部５１は、第二部材固定部３２と同等の左右幅寸法を備えた縦長の矩形形状を呈している。背面部５１には、ボルト貫通孔５３が形成されている。ボルト貫通孔５３は、縦方向に延在する長孔にて構成されている。ボルト貫通孔５３には、第二部材５０を第一部材３０に固定するためのボルトＢが挿通する。このようにボルトＢが長孔に挿通されるので、第二部材５０は、第一部材３０に対して取付高さが調整可能となっている。固定するボルトＢは１本であるので、第二部材５０は、第一部材３０に対して傾斜した状態で固定可能となっている。ボルト貫通孔５３の下方には、ビス孔５４が形成されている。ビス孔５４には、第二部材５０から第一部材３０に向かって打たれるビスＶ３が挿通される。ビスＶ３は、第一部材３０に対する第二部材５０の角度調整を行った後に打たれる。
【００２９】
背面部５１の上端には、側面部５２と同じ方向に折れ曲がる折曲部５５が設けられている。折曲部５５は、背面部５１を補強するリブの役目を果たす。
【００３０】
側面部５２は、背面部５１の幅方向両端からそれぞれ直角に折り曲げられている。一対の側面部５２，５２は、同じ形状である。側面部５２は、背面部５１の下端よりも下方に延在している。側面部５２には、野縁受け２２を係止するためのスリット５６が形成されている。スリット５６は、背面部５１の下端の下側位置に形成されている。スリット５６は、野縁受け２２の上側のフランジ２２ａの断面形状と略同じ切込断面を有していて、フランジ２２ａが挿入可能となっている。スリット５６は水平方向に延在していて、内部にフランジ２２ａが挿入されることで、野縁受け２２が第二部材５０に係止される。第二部材５０が第一部材３０に取り付けられると、野縁受け２２は、第二部材５０と第一部材３０の第二部材固定部３２とで挟まれる。これによって野縁受け２２は、スリット５６の抜け出し方向に移動できない。つまり、第二部材固定部３２が、野縁受け２２（天井下地）のスリット５６からの抜け防止部となっている。
【００３１】
次に、前記構成の天井下地固定金具１を用いて天井下地２０を取り付ける手順を説明しながら作用効果を説明する。
【００３２】
天井下地２０を設置するに際しては、まず、第一部材３０を上方から下ろして、第二の横架材１３の所定位置に係止する。その後、開き防止用ボルト３６を取り付けて、第一部材３０が落下しない状態とする。この状態で、第一部材３０は、第二の横架材１３の長手方向にスライド可能である。
【００３３】
次に、第二部材５０のスリット５６に野縁受け２２を係止した状態で、第二部材５０を第一部材３０へ当接させて、ボルトＢを仮締めする。これによって第二部材５０および野縁受け２２が仮固定される。このとき、野縁受け２２は、上側のフランジ２２ａがスリット５６に挿入されるとともに、ウェブ２２ｃが第二部材固定部３２に当接している。したがって、野縁受け２２は、第二部材固定部３２と第二部材５０とで挟持されることになるので、天井下地固定金具１から落下することはない。
【００３４】
所定範囲の天井下地固定金具１において第二部材５０を仮固定したならば、第二部材５０の取付高さを微調整する。これによって、野縁受け２２の支持位置が調整されるので、野縁受け２２を精度高く設置することができる。このような第二部材５０の取付高さの調整は、天井下地２０が仮固定した状態、すなわち野縁受け２２が周りの天井下地固定金具１に支持されている状態で行われるので、容易に行うことができる。
【００３５】
第二部材５０の取付高さの調整（野縁受け２２の支持位置の調整）が完了したならば、ビスＶ１で第一部材３０を第二の横架材１３に固定するとともに、ビスＶ２で野縁受け２２を第一部材３０に固定する。さらに、ビスＶ３で第二部材５０を第一部材３０に固定する。これによって、野縁受け２２が第一部材３０を介して、第二の横架材１３に一体化されることとなり、天井下地２０が支持構造体１０に直固定される。
【００３６】
その後、野縁受け２２に野縁２１を取り付け、野縁２１に天井板３を取り付ける。野縁受け２２の位置精度が高いので、野縁２１と天井板３の位置精度も高くなる。
【００３７】
一方、本実施形態の天井下地固定金具１では、支持構造固定部３１と第二部材固定部３２とが直交していることで互いに補強し合い、第一部材３０の剛性が高くなる。また、第二部材５０のボルト挿通孔５３は、上下方向に沿って延在する長孔にて構成されているので、第二部材５０を長孔の長手方向にスライドさせるだけで、第一部材３０に対する第二部材５０の取付高さ調整を容易に行うことができる。このとき、第二部材５０は、ボルトＢが抜けない状態で保持されているので落下することはない。
【００３８】
次に、天井下地固定金具１を曲面状の天井に適用した場合について説明する。図８に示すように、支持構造体１は、高さの異なる吊材１１，１１・・の下部に第一の横架材１２が架け渡されている。第一の横架材１２は、天井面の傾斜に応じて、傾斜した状態または水平状態で階段状に配置されている。第二の横架材１３は、第一の横架材１２の下部に固定されている。また、野縁受け２５は、天井面の曲面に沿って湾曲している。
【００３９】
このような支持構造体１では、第二の横架材１３と野縁受け２５との距離が、場所によって異なる。そのため、第一部材３０に対する第二部材５０の取付高さを変えることで、野縁受け２５の支持位置の調整を行う。
【００４０】
図９には、第二部材５０の取付高さが低い場合が図示されている。第二部材５０は第一部材３０に対して低い位置に取り付けられていて、ボルトＢがボルト挿通孔５３の上端部に位置している。つまり、ボルト挿通孔５３の上端部が、第一部材３０のボルト挿通孔３８に相当する高さとなっている。このように第二部材５０が低い位置に取り付けられれば、野縁受け２５の支持位置が低くなるので、第二の横架材１３と野縁受け２５との距離を大きくすることができる。これに伴って、野縁受け２５は、第二部材固定部３２に対しても低くなる。よって、野縁受け２５は、第二部材固定部３２の下側の３つのビス孔３７を利用してビス止めされている。なお、図９の第二部材固定部３２では、ビス孔３７は、正方形の頂点位置４箇所と、その正方形の対角線の交点位置１箇所の合計５箇所に形成されている。
【００４１】
図９の野縁受け２５は、リップ付溝型鋼（Ｃ形チャンネル）にて構成されている。そのため、第二部材５０のスリット５６ａは、野縁受け２５のリップ部２５ｂが通過可能な高さを備えている（図９の（ｂ）参照）。スリット５６ｂの先端部には、リップ部２５ｂが入り込む切込部５７が形成されている。この切込部５７にリップ部２５ｂが入り込むと、野縁受け２５の上側のフランジ２５ａが、スリット５６ｂの底面に係止される。
【００４２】
なお、その他の構成については、図２と同じであるので、同じ符号を付して説明を省略する。
【００４３】
図１０には、第二部材５０が第一部材３０に対して傾斜して取り付けられている場合が図示されている。第二の横架材１３と野縁受け２５との傾斜角度が異なる場合に、第二部材５０が第一部材３０の第二部材固定部３２に対して傾斜して取り付けられる。第二部材５０は、ボルトＢを中心に傾斜している。第二部材５０は、第二の横架材１３と干渉しない方向に回転（図１０では右回転）している。
【００４４】
この場合も、第二部材５０の取付高さの調整（野縁受け２２の支持位置の調整）が完了した後に、ビスＶ３で第二部材５０を第一部材３０に固定する。これによって、第二部材５０の傾斜角度も固定される。
【００４５】
このように第二部材５０を第一部材３０に対して傾斜させることで、支持構造体１０と天井下地２０とが相対的に傾斜した状態で、天井下地２０を支持構造体１０に固定することができる。
【００４６】
以上、本発明を実施するための形態についてそれぞれ説明したが、本発明は前記の実施形態に限定されず、本発明の趣旨を逸脱しない範囲で、材質、形状や大きさなど適宜設計変更が可能である。例えば、前記実施形態では、第一部材３０のボルト貫通孔３３をネジ孔とするとともに、第二部材５０のボルト貫通孔５３を長孔としているが、これに限定されるものではない。第一部材３０のボルト貫通孔３３を長孔とするとともに、第二部材５０のボルト貫通孔をネジ孔としてもよい。また、ネジ孔を単なる貫通孔として、ボルトＢの先端部にナットを螺合することで、締め付ける構成としてもよい。
【００４７】
また、前記実施形態では、天井下地固定金具１は野縁受け２２を固定しているが、これに限定されるものではない。天井下地２０は、野縁２１および野縁受け２２以外のもの、たとえばシステム天井のＴバーなどの下地材であってもよい。
【００４８】
さらに、前記実施形態では、天井面が傾斜した場合について説明しているが、水平な天井面であっても適用可能であるのは勿論である。この場合においても支持構造体の不陸を吸収できるという作用効果を奏する。
【符号の説明】
【００４９】
１      天井下地固定金具
２      建物構造体
１０    支持構造体
２０    天井下地
２１    野縁
２２    野縁受け
３０    第一部材
３１    支持構造体固定部
３２    第二部材固定部
３４    ビス孔
３７    ビス孔
３８    ボルト貫通孔
５０    第二部材
５３    ボルト貫通孔
Ｂ      ボルト
Ｖ１    ビス
Ｖ２    ビス
【図１】
0006570367.tif 000002
【図２】
0006570367.tif 000003
【図３】
0006570367.tif 000004
【図４】
0006570367.tif 000005
【図５】
0006570367.tif 000006
【図６】
0006570367.tif 000007
【図７】
0006570367.tif 000008
【図８】
0006570367.tif 000009
【図９】
0006570367.tif 000010
【図１０】
0006570367.tif 000011